(57)【要約】【課題】付属部品等を保護でき、可搬性に優れた電子機器を提供する。【解決手段】ミキサ装置１００（電子機器）は、前面と、背面と、上面と、下面と、左側面と、右側面とにより囲まれた筐体１を有し、筐体１の前面に、前側接続端子を有する操作面４１が設けられ、筐体１の上面が、前面側に配置される前側上面部（上側面板２０ｂ）と、背面側に配置される後側上面部（上側面板３０ｂ）とから構成され、後側上面部は、前側上面部よりも下面側に下がった位置に配置されており、後側上面部に、後側接続端子が設けられている。【選択図】      図２
2017174982.tif 000002
【特許請求の範囲】
【請求項１】
前面と、背面と、上面と、下面と、左側面と、右側面とにより囲まれた筐体を有し、
前記筐体の前面に、前側接続端子を有する操作面が設けられ、
前記筐体の上面が、前記前面側に配置される前側上面部と、前記背面側に配置される後側上面部とから構成され、
前記後側上面部は、前記前側上面部よりも前記下面側に下がった位置に配置されており、
前記後側上面部に、後側接続端子が設けられていることを特徴とする電子機器。
【請求項２】
前記筐体は、
前記操作面を有するフロントパネルと、
前記前側上面部を有して前記フロントパネルに接続される前側ケースと、
前記後側上面部を有して前記前側ケースに接続される後側ケースとを備え、
前記筐体の内部空間は、
前記フロントパネルと前記前側ケースとにより形成される前側空間部と、前記前側ケースと前記後側ケースとにより形成される後側空間部とが、前記前側ケースの背面部を介して区切られており、
少なくとも前記前側ケースの背面部は、電磁遮蔽材からなり、
前記前側空間部に、前記操作面に露出する複数の前側接続端子を有する制御基板が配設され、
前記後側空間部に、電源基板が配設されていることを特徴とする請求項１に記載の電子機器。
【発明の詳細な説明】
【技術分野】
【０００１】
本発明は、ミキサ装置やレコード装置等の電子機器に関する。
【背景技術】
【０００２】
ＰＡ（Ｐｕｂｌｉｃ  Ａｄｄｒｅｓｓ）、ＳＲ（Ｓｏｕｎｄ  Ｒｅｉｎｆｏｒｃｅｍｅｎｔ）等に使われる業務用オーディオ・パワーアンプ等の電子機器は、ホール、劇場、宴会場などの恒久的設備や、ライブ、イベント等のための仮設会場に持ち運ばれて、各会場で使用される。そして、このような電子機器においては、例えば、特許文献１及び非特許文献１〜３に開示される電子機器のように、筐体内部に回路基板とともに電源基板を備え、本体に電源部が一体に設けられることが多い。
【先行技術文献】
【特許文献】
【０００３】
【特許文献１】特許第４８３１０００号公報
【非特許文献】
【０００４】
【非特許文献１】Ｙｏｒｋｖｉｌｌｅ  Ｓｏｕｎｄ，Ｍ８１０−２，インターネット＜ＵＲＬ：http://yorkville.com/mixers/micromix/product/m810-2/＞
【非特許文献２】Ｙｏｒｋｖｉｌｅ  Ｓｏｕｎｄ，Ｍ１６１０−２，インターネット＜ＵＲＬ：http://yorkville.com/mixers/micromix/product/m1610-2/＞
【非特許文献３】ヤマハ株式会社、パワードミキサーＥＭＸ５１２ＳＣ、インターネット＜ＵＲＬ：http://www.yamahaproaudio.com/japan/ja/products/mixers/emx_box/photos.jsp＞
【発明の概要】
【発明が解決しようとする課題】
【０００５】
電源部を備える電子機器においては、背面に電源プラグの差込口等が設置されることから、電源ケーブルを接続した状態で電子機器の持ち運びを行う場合には、電子機器を載置面に設置する際に、電源ケーブルを載置面と電子機器との間に挟むおそれがある。また、重量の大きい電子機器を片手で支えながら、電源ケーブルを載置面との間に挟まれないようにしながらの載置作業は煩雑となる。さらに、電子機器を載置面に載置した後に、電源ケーブルを接続する場合には、その作業領域を確保するために、電子機器の筐体背面を壁際から離して一定の間隔を開けて配置する必要がある。
【０００６】
本発明は、このような事情に鑑みてなされたもので、筐体の背面側に配置される接続端子等の付属部品を保護でき、作業性に優れた電子機器を提供することを目的とする。
【課題を解決するための手段】
【０００７】
本発明の電子機器は、前面と、背面と、上面と、下面と、左側面と、右側面とにより囲まれた筐体を有し、前記筐体の前面に、前側接続端子を有する操作面が設けられ、前記筐体の上面が、前記前面側に配置される前側上面部と、前記背面側に配置される後側上面部とから構成され、前記後側上面部は、前記前側上面部よりも前記下面側に下がった位置に配置されており、前記後側上面部に、後側接続端子が設けられている。
【０００８】
筐体の下面側を載置面に設置した場合、前面側の操作面が前方を向けられた状態となる。この際、筐体の背面側に配置された後側接続端子は、後側上面部に設けられていることから、上方に向けて配置される。このため、筐体の背面を壁際に近づけて載置した場合でも、後側接続端子が壁によって塞がれることがない。また、後側接続端子に繋がれたプラグやケーブル等の付属部品と壁との衝突により生じる破損を防止できる。したがって、電子機器の筐体背面を壁際に近づけて載置面に配置した場合でも、容易に背面側の後側接続端子にプラグやケーブル等を接続することができ、円滑に作業を進めることができるとともに、ケーブル等の付属部品を確実に保護できる。
また、筐体の背面側を載置面に載置した場合には、操作面が上方に向けられた状態となり、筐体の背面側に配置された後側接続端子は、前方又は後方に向けて配置される。このため、後側接続端子が載置面によって塞がれることがない。また、後側接続端子が設けられた後側上面部は、前側上面部の上面よりも下がった位置に配置されていることから、筐体の上面側を壁際に近づけて電子機器を配置した場合でも、壁によって後側接続端子が塞がれることがない。したがって、後側接続端子に接続されたプラグやケーブル等の付属部品を壁と衝突させることなく、確実に保護できる。
【０００９】
本発明の電子機器において、前記筐体は、前記操作面を有するフロントパネルと、前記前側上面部を有して前記フロントパネルに接続される前側ケースと、前記後側上面部を有して前記前側ケースに接続される後側ケースとを備え、前記筐体の内部空間は、前記フロントパネルと前記前側ケースとにより形成される前側空間部と、前記前側ケースと前記後側ケースとにより形成される後側空間部とが、前記前側ケースの背面部を介して区切られており、少なくとも前記前側ケースの背面部は、電磁遮蔽材からなり、前記前側空間部に、前記操作面に露出する複数の前側接続端子を有する制御基板が配設され、前記後側空間部に、電源基板が配設されているとよい。
【００１０】
筐体を構成する前側ケースと後側ケースとを別体に設けることで、筐体の内部空間を、前側ケースを介して２つの空間部に区切ることができる。また、前側ケースの背面部を電磁遮蔽材により形成しているので、フロントパネルと前側ケースとの間の前側空間部の内部に配設された制御基板と、前側ケースと後側ケースとの間の後側空間部の内部に配設された電源基板との間を電磁的に遮蔽することができ、制御基板側に電磁ノイズを漏れ難くできる。したがって、電子機器に電源基板を設けたことにより、他の回路基板に与える電磁ノイズの影響を大幅に低減できる。
【発明の効果】
【００１１】
本発明によれば、筐体の背面側に配置される後側接続端子を、筐体の背面側ではなく、筐体の上面側に配置し、さらに筐体の上面よりも下がった位置に配置することにより、筐体の背面側に配置される後側接続端子やこの後側接続端子に接続されるプラグやケーブル等の付属部品を保護でき、電子機器を設置する際の作業性を向上させることができる。
【図面の簡単な説明】
【００１２】
【図１】本発明の実施形態に係るミキサ装置全体を示す斜視図である。
【図２】図１に示すミキサ装置を背面側から見た斜視図である。
【図３】図１に示すミキサ装置の正面図である。
【図４】図１に示すミキサ装置の背面図である。
【図５】図１に示すミキサ装置の下側面図である。
【図６】図１に示すミキサ装置の左側面図である。
【図７】図１に示すミキサ装置の右側面図である。
【図８】図３に示すＡ‐Ａ線に沿う矢視断面図である。
【図９】図４に示すＢ‐Ｂ線に沿う矢視断面図である。
【図１０】ミキサ装置の筐体と筐体支持部との着脱を説明する分解図である。
【図１１】筐体支持部の後側下縁部の接地部を載置面に設置させた状態を示すミキサ装置の左側面図である。
【発明を実施するための形態】
【００１３】
以下、本発明の実施形態を図面を参照して説明する。
図１〜図１１は、本発明の実施形態に係る電子機器を示す図であり、いわゆるミキサ装置として構成されるものである。以下、このミキサ装置１００を例に説明を行う。
ミキサ装置１００は、図１及び図２に示すように、前面と、背面と、上面と、下面と、左側面と、右側面とにより囲まれた筐体１と、この筐体１の左右に取り付けられる一組の筐体支持部６Ｌ，６Ｒとを備える。そして、筐体１の前面に、複数の操作子１１及び入出力端子１２，１３等の前側接続端子を有する操作面４１が設けられている。
【００１４】
なお、操作面４１に設けられた操作子１１及び入出力端子１２，１３等の部品は、筐体１の内部に収容される制御基板７Ａ上に取り付けられており、操作面４１には、これらの部品を露出させるための複数の孔部が形成されている。また、操作子１１及び入出力端子１２，１３等の部品は、概ね操作面４１の全面に設けられるが、図面では一部のみ記載し、他の部分は破線で省略した。また、図示は省略するが、ミキサ装置１００は、入出力端子１２，１３にオーディオケーブル等を着脱自在に接続し、このオーディオケーブル等を介して他の電子音響機器に接続された状態で使用される。
【００１５】
以降の説明では、フロントパネル４が配置された操作面４１側をミキサ装置１００の前側（前面、正面側）、操作面４１と反対側をミキサ装置１００の後側（後面、背面側）とし、ミキサ装置１００の前側から後側を向いた左方向をミキサ装置１００の左側、右方向をミキサ装置１００の右側とする。
【００１６】
筐体１は、操作面４１を有するフロントパネル４と、このフロントパネル４に接続される前側ケース２と、前側ケース２に接続される後側ケース３とを備える。この筐体１は、図８及び図９に示すように、これらフロントパネル４、前側ケース２及び後側ケース３が組み合わされることにより、前後、上下及び左右が覆われた状態となり、筐体１の内部空間は、フロントパネル４と前側ケース２とにより形成される前側空間部７１と、前側ケース２と後側ケース３とにより形成される後側空間部７２とに、前側ケース２の背面部（後述する背面板２０ａ）を介して二つに区切られている。そして、前側空間部７１に操作子１１及び入出力端子１２，１３等の前側接続端子を有する制御基板７Ａが配設され、後側空間部７２に電源基板７Ｂが配設される。
【００１７】
フロントパネル４は例えばアルミニウム等の金属により形成され、全体がほぼ平坦面に形成される。なお、操作面４１から露出する操作子１１の高さは、入出力端子１２，１３等の前側接続端子の高さよりも高いことから、フロントパネル４では、操作子１１が配置される上面側の操作面４１を、入出力端子１２，１３が配置される下面側よりも一段低く形成している。
【００１８】
前側ケース２は、例えば鉄又はステンレス等の電磁波を遮断する電磁遮断材からなり、背面板２０ａと側面板２０ｂ〜２０ｅとで囲まれた一面を開口した有底の箱状に設けられ、前側を開放する形状に形成されている。なお、前側ケース２の背面板２０ａと側面板２０ｂ〜２０ｅとはそれぞれが別体に形成され、組み合わされて構成されているが、それぞれを一体に形成してもよい。この場合、少なくとも前側ケース２の背面部に配置される背面板２０ａを、電磁遮断材により形成するとよい。そして、フロントパネル４は、前側ケース２の前側を塞ぐようにして前側ケース２の開口部に被せられるように取り付けられる。
また、図示は省略するが、前側ケース２の左側面板２０ｄと右側面板２０ｅとには、それぞれに複数のねじ穴が形成されており、一組の筐体支持部６Ｌ，６Ｒは、これらねじ穴と取付ねじとの締結により、図１０に示すように、筐体１に着脱可能に取り付けられる。
【００１９】
後側ケース３は、背面板３０ａと側面板３０ｂ〜３０ｅとで囲まれた一面を開口した有底の箱状に設けられ、前側を開放する形状に形成されている。そして、後側ケース３は、その前側の開口を塞ぐようにして、前側ケース２の背面板２０ａの下面側に取り付けられ、後側ケース３の上側面板３０ｂは、前側ケース２の上側面板２０ｂよりも筐体１の下面側に下がった位置に配置される。本実施形態のミキサ装置１００において、この前側ケース２の上側面板２０ｂが、本発明でいう前側上面部とされ、後側ケース３の上側面板３０ｂが、本発明でいう後側上面部とされるものである。
そして、後側ケース３の上側面板３０ｂには、電源プラグの差込口１４、オーディオ接続端子１５等の後側接続端子が設けられている。なお、後側ケース３の背面板３０ａと側面板３０ｂ〜３０ｅとはそれぞれが別体に形成され、組み合わされて構成されているが、それぞれを一体に形成してもよい。
【００２０】
一組の筐体支持部６Ｌ，６Ｒは、図１〜図４に示すように、筐体１に取り付けた状態において、その外周縁部６１〜６４が、それぞれ筐体１の前面のフロントパネル４、背面の背面板２０ａ及び背面板３０ａ、上面の上側面板２０ｂ及び上側面板３０ｂ、下面の下側面板２０ｃ及び下側面板３０ｃよりも、これらの表面から直交する方向に張り出して設けられており、載置面に対してミキサ装置１００を前後及び上下のいずれの方向を向けた姿勢で載置させたとしても、筐体１と載置面とを接触させることなく載置可能に設けられている。
【００２１】
具体的には、筐体支持部６Ｌ，６Ｒは、筐体１のフロントパネル４側に配置される前縁部６１が、操作面４１に取り付けられた操作子１１等の付属部品よりも大きく張り出して設けられ、筐体１の背面側に配置される後縁部６２が、前側ケース２の背面板２０ａ及び後側ケース３の背面板３０ａよりも張り出して設けられている。また、筐体支持部６Ｌ，６Ｒの上縁部６３が前側ケース２の上側面板２０ｂ及び後側ケース３の上側面板３０ｂよりも張り出して設けられ、下縁部６４が前側ケース２の下側面板２０ｃ及び後側ケース３の下側面板３０ｃよりも張り出して設けられている。したがって、テーブルの上面等の載置面に対してミキサ装置１００を前後及び上下のいずれの方向を向けた姿勢で載置させたとしても、筐体１と載置面とを接触させることなくミキサ装置１００を設置できる。
【００２２】
また、筐体支持部６Ｌ，６Ｒの下縁部６４は、フロントパネル４側の前側下縁部６４Ａと、背面板２０ａ側の後側下縁部６４Ｂとから構成されており、上縁部６３は、フロントパネル４側の前側上縁部６３Ａと、背面板２０ａ側の後側上縁部６３Ｂとから構成されている。このように、各筐体支持部６Ｌ，６Ｒの外周縁部６１〜６４は、６辺で構成された六角形とされ、上下方向に対称に設けられている。なお、前側上縁部６３Ａ及び前側下縁部６４Ａは、それぞれ後側上縁部６３Ｂと後側下縁部６４Ｂよりも長く形成されている。
【００２３】
そして、一組の筐体支持部６Ｌ，６Ｒは、これらの外周縁部６１〜６４のうちの少なくとも前縁部６１と、後縁部６２と、下縁部６４の後側下縁部６４Ｂとのいずれかに、載置面に設置させた状態でミキサ装置１００を静止可能な接地部６１ｓ，６２ｓ，６４ｓが設けられている。
なお、前縁部６１及びその接地部６１ｓは、フロントパネル４の面方向と平行に設けられ、前縁部６１の接地部６１ｓを載置面に設置させた状態では、ミキサ装置１００はフロントパネル４を下方に向けた状態に維持される。また、後縁部６２及びその接地部６２ｓは、背面板２０ａ及びフロントパネル４の面方向と平行に設けられており、後縁部６２の接地部６２ｓを載置面に設置させた状態では、ミキサ装置１００はフロントパネル４を上方に向けた状態に維持される。
【００２４】
また、フロントパネル４と後側下縁部６４Ｂとがなす角度αが鋭角に設けられており、後側下縁部６４Ｂは、フロントパネル４から離れるにつれて上方に向かう上り勾配の傾斜面により形成されている。このため、後側下縁部６４Ｂの接地部６４ｓを載置面に設置させた状態では、ミキサ装置１００はフロントパネル４が斜め上方を向けた状態に維持され、フロントパネル４を前方からの視認に加えて、上方からの視認をしやすくすることができる。なお、本実施形態のミキサ装置１００においては、フロントパネル４の面方向と前縁部６１及びその接地部６１ｓとが平行に設けられていることから、前縁部６１と後側下縁部６４Ｂとがなす角度も角度αとなる。また、前縁部６１と前側下縁部６４Ａとがなす角度βは、角度αよりも大きく設けられており、図示例では、前縁部６１から離れるにつれて下方に向かう下り勾配の傾斜面により形成されている。そして、この角度βよりも、前側下縁部６４Ａと後側下縁部６４Ｂとがなす角度γの方が大きく設けられている。
なお、上縁部６３は、下縁部６４と上下対称の形状とされており、フロントパネル４又は前縁部６１と後側上縁部６３Ｂとがなす角度がα、フロントパネル４又は前縁部６１と前側上縁部６３Ａとがなす角度がβ、前側上縁部６３Ａと後側上縁部６３Ｂとがなす角度がγとされる。
【００２５】
また、各筐体支持部６Ｌ，６Ｒには、それぞれ前縁部６１に前側把持部６５が設けられ、後縁部６２に後側把持部６６が設けられており、これらの前側把持部６５又は後側把持部６６を掴むことで、ミキサ装置１００を持ち上げて容易に運ぶことができる。
そして、上述したように、筐体支持部６Ｌ，６Ｒは、筐体１の前後及び上下の外周部よりも張り出して設けられていることから、ミキサ装置１００を載置面に設置させた状態で転がしても、付属部品を載置面に衝突させることなく、姿勢を変更することができる。この際、前側把持部６５と後側把持部６６とを掴むことで、ミキサ装置１００を載置面に設置した後にも容易に転がして姿勢を変更することができる。
【００２６】
また、前側把持部６５には、左右方向に貫通する前側貫通孔６５ｈが設けられ、後側把持部６６にも、左右方向に貫通する後側貫通孔６６ｈが設けられている。このように、前側把持部６５と後側把持部６６に、前側貫通孔６５ｈと後側貫通孔６６ｈとを設けておくことで、これら前側貫通孔６５ｈ及び後側貫通孔６６ｈに指先を挿入できるので、前側把持部６５及び後側把持部６６を握り易くできる。
【００２７】
また、前側貫通孔６５ｈに、図１に白抜き矢印で示すように、フロントパネル４の入出力端子１２，１３等に装着したケーブルを通して、複数のケーブルを束ねることができる。このように、ケーブルを前側貫通孔６５ｈに通すことで、ケーブルを束ねて背面側に円滑に案内することができるので、ケーブルを容易に整理することができる。
【００２８】
さらに、ミキサ装置１００においては、図１及び図２に示すように、一組の筐体支持部６Ｌ，６Ｒに、左右方向の側面を窪ませた凹部６７が設けられており、凹部６７に筐体１内部の換気を行う複数の通気孔６８が設けられている。このように、筐体支持部６Ｌ，６Ｒの側面に凹部６７を設けることで、ミキサ装置１００の左右方向の側面、すなわち筐体支持部６Ｌ，６Ｒを壁際に近づけて載置した場合でも、通気孔６８の開口と壁との間に一定の隙間を確保できる。このように、通気孔６８が壁等によって塞がれることがないので、良好な放熱性能を維持できる。
【００２９】
なお、本実施形態のミキサ装置１００においては、左右の筐体支持部６Ｌ，６Ｒは、同一の形状で形成されており、左側の筐体支持部６Ｌを上下逆向きに配置すると、右側の筐体支持部６Ｒとして使用することができる。同様に、右側の筐体支持部６Ｒを上下逆向きに配置することで、左側の筐体支持部６Ｌとして使用することができる。
【００３０】
以上のように構成される本実施形態のミキサ装置１００においては、前述したように、筐体１の下面側の下縁部６４を載置面に設置した場合、前面側の操作面４１が前方に向けられた状態となる。この際、筐体１の背面側に配置された差込口１４、オーディオ接続端子１５等の後側接続端子は、後側ケース３の上側面板３０ｂ（後側上面部）に設けられていることから、上方に向けて配置される。このため、ミキサ装置１００を、筐体１の背面を壁際に近づけて載置した場合でも、後側接続端子が壁によって塞がれることがない。また、後側接続端子に繋がれたプラグやケーブル等の付属部品と壁との衝突により生じる破損を防止できる。したがって、ミキサ装置１００の筐体１の背面を壁際に近づけて載置面に配置した場合でも、容易に背面側の後側接続端子にプラグやケーブル等を接続することができ、円滑に作業を進めることができるとともに、ケーブル等の付属部品を確実に保護できる。
【００３１】
なお、本実施形態のミキサ装置１００では、図１１に示すように、下縁部６４の後側下縁部６４Ｂの接地部６４ｓを載置面９０に設置させた場合には、フロントパネル４は斜め上方を向けて配置されるが、この場合でも、後側ケース３の上側面板３０ｂは、斜め上方を向けて配置されるので、後側接続端子が壁によって塞がれることや、後側接続端子に繋がれた付属部品等の破損を防止できる。
【００３２】
また、筐体１の背面側を載置面に載置した場合には、操作面４１が上方に向けられた状態となり、筐体１の背面側に配置された後側接続端子は、前方又は後方に向けて配置される。このため、後側接続端子が載置面によって塞がれることがない。また、後側接続端子が設けられた後側ケース３の上側面板３０ｂ（後側上面部）は、前側ケース２の上側面板２０ｂ（前側上面部）の上面よりも下がった位置に配置されていることから、筐体１の上面側を壁際に近づけてミキサ装置１００を配置した場合でも、壁によって後側接続端子が塞がれることがない。したがって、後側接続端子に接続されたプラグやケーブル等の付属部品を壁と衝突させることなく、確実に保護できる。また、ミキサ機器を載置面に設置する際の作業性を向上させることができる。
【００３３】
また、ミキサ装置１００では、筐体１を構成する前側ケース２と後側ケース３とを別体に設けることで、筐体１の内部空間を、前側ケース２の背面部（背面板２０ａ）を介して２つの空間部７１，７２に区切り、さらに少なくとも前側ケース２の背面部を電磁遮蔽材により形成している。これにより、フロントパネル４と前側ケース２との間の前側空間部７１の内部に配設された制御基板７Ａと、前側ケース２と後側ケース３との間の後側空間部７２の内部に配設された電源基板７Ｂとの間を電磁的に遮蔽することができ、電源基板７Ｂ側から制御基板７Ａ側に電磁ノイズを漏れ難くできる。したがって、ミキサ装置１００に電源基板７Ｂを設けたことにより、他の回路基板に与える電磁ノイズの影響を大幅に低減できる。
【００３４】
なお、本発明は上記実施形態に限定されるものではなく、本発明の趣旨を逸脱しない範囲において種々の変更を加えることが可能である。
【符号の説明】
【００３５】
１…筐体、２…前側ケース、３…後側ケース、４…フロントパネル、６Ｌ，６Ｒ…筐体支持部、７Ａ…制御基板、７Ｂ…電源基板、１２，１３…入出力端子（前側接続端子）、１４…差込口（後側接続端子）、１５…オーディオ接続端子（後側接続端子）、４１…操作面、６１…前縁部、６１ｓ…接地部、６２…後縁部、６２ｓ…接地部、６３…上縁部、６３Ａ…前側上縁部、６３Ｂ…後側上縁部、６３ｓ…接地部、６４…下縁部、６４Ａ…前側下縁部、６４Ｂ…後側下縁部、６５…前側把持部、６５ｈ…前側貫通孔、６６…後側把持部、６６ｈ…後側貫通孔、６７…凹部、６８…通気孔、７１…前側空間部、７２…後側空間部、１００…ミキサ装置（電子機器）
【図１】
2017174982.tif 000003
【図２】
2017174982.tif 000004
【図３】
2017174982.tif 000005
【図４】
2017174982.tif 000006
【図５】
2017174982.tif 000007
【図６】
2017174982.tif 000008
【図７】
2017174982.tif 000009
【図８】
2017174982.tif 000010
【図９】
2017174982.tif 000011
【図１０】
2017174982.tif 000012
【図１１】
2017174982.tif 000013